(57)【要約】  広告コンテンツに対するユーザ関与を促すための方法及び装置が記載される。ユーザによって閲覧するためにディスプレイにおけるインタフェースの表示が容易にされる。インタフェースは、実質的に固定位置をインタフェース内部に占めるコンテンツウィンドウを含む。その一部が広告である、コンテンツウィンドウ内でのコンテンツユニットのシーケンスの表示が容易にされる。ユーザ+関与及びコンテンツウィンドウとの対話を促すための様々な方法が記載される。【選択図】図１４
2010538340.tif 000002
【特許請求の範囲】
【請求項１】
広告コンテンツに対するユーザ関与を促すためのコンピュータに実装される方法であって、
ユーザによって閲覧するためにディスプレイにおいて実質的に固定位置を内部に占めるコンテンツウィンドウを含むインタフェースの表示を容易にする段階と、
前記コンテンツウィンドウ内でのコンテンツユニットのシーケンスの表示を容易にする段階と、
を含み、
前記コンテンツユニットの第１ユニットが広告を含み、前記コンテンツユニットの第２ユニットが、前記ユーザへの所定の関連性によって特徴付けられる非商用メディアを含む、
ことを特徴とする方法。
【請求項２】
前記インタフェースは、前記ユーザがそれを用いて前記シーケンス内を前後に移動することができる少なくとも１つのコントロールを更に含む、
ことを特徴とする請求項１に記載の方法。
【請求項３】
前記ユーザが前記コンテンツの第１ユニットのうちの最後に表示されたユニットを超えて前記シーケンス内で前方移動しようと試みる場合には、前記第２コンテンツユニットのみの表示を容易にする段階を更に含む、
請求項２に記載の方法。
【請求項４】
前記シーケンスとのユーザ対話を追跡して前記ユーザ関与を評価する段階を更に含む、
請求項２に記載の方法。
【請求項５】
ドラッグ・アンド・ドロップ操作を用いて前記コンテンツユニットのうちの選択されたユニットの共有を容易にする段階を更に含む、
請求項１に記載の方法。
【請求項６】
前記インタフェースは、連絡先リスト及びメッセージウィンドウを含むメッセージングインタフェースを備え、前記ドラッグ・アンド・ドロップ操作は、前記連絡先リストを介した連絡先又は前記メッセージウィンドウを介したメッセージ受信者の１つと前記選択されたコンテンツユニットの共有を行う、
ことを特徴とする請求項５に記載の方法。
【請求項７】
前記非商用メディアが、コンテンツのポスティング、イベント通知、又は招待のうちの１つ又はそれ以上を含む、
ことを特徴とする請求項１に記載の方法。
【請求項８】
前記ユーザへの所定の関連性が、前記ユーザに関連するユーザグループ、前記ユーザが登録するメディア、前記ユーザの選好、又は前記ユーザのオンライン行動のうちの１つ又はそれ以上を参照して判断される、
ことを特徴とする請求項１に記載の方法。
【請求項９】
広告コンテンツに対するユーザ関与を促すように構成され、ディスプレイ及び少なくとも１つのプロセッサを備えたコンピューティングデバイスであって、
ユーザによって閲覧するためにディスプレイにおいて実質的に固定位置を内部に占めるコンテンツウィンドウを含むインタフェースの表示を容易にし、
前記コンテンツウィンドウ内でのコンテンツユニットのシーケンスの表示を容易にし、前記コンテンツユニットの第１ユニットが広告を含み、前記コンテンツユニットの第２ユニットが、前記ユーザへの所定の関連性によって特徴付けられる非商用メディアを含む、
ように構成されたコンピューティングデバイス。
【請求項１０】
広告コンテンツに対するユーザ関与を促すためのコンピュータに実装される方法であって、
ユーザによって閲覧するためにディスプレイにおいて実質的に固定位置を内部に占めるコンテンツウィンドウを含むインタフェースの表示を容易にする段階と、
前記コンテンツウィンドウ内でのコンテンツユニットのシーケンスの表示を容易にする段階と、
を含み、
前記コンテンツユニットの第１ユニットが広告を含み、前記インタフェースが更に、前記ユーザがそれを用いて前記シーケンス内を前後に移動することができる少なくとも１つのコントロールを含む、
ことを特徴とする方法。
【請求項１１】
前記ユーザが前記コンテンツの第１ユニットのうちの最後に表示されたユニットを超えて前記シーケンス内で前方移動しようと試みる場合には、前記コントロールの操作を禁止する段階を更に含む、
請求項１０に記載の方法。
【請求項１２】
前記シーケンスとのユーザ対話を追跡して前記ユーザ関与を評価する段階を更に含む、
請求項１０に記載の方法。
【請求項１３】
ドラッグ・アンド・ドロップ操作を用いて前記コンテンツユニットのうちの選択されたユニットの共有を容易にする段階を更に含む、
請求項１０に記載の方法。
【請求項１４】
前記コンテンツユニットの第２ユニットは、前記ユーザへの所定の関連性によって特徴付けられる非商用メディアを含み、前記非商用メディアが、コンテンツのポスティング、イベント通知、又は招待のうちの１つ又はそれ以上を含む、
ことを特徴とする請求項１０に記載の方法。
【請求項１５】
広告コンテンツに対するユーザ関与を促すように構成され、ディスプレイ及び少なくとも１つのプロセッサを備えたコンピューティングデバイスであって、
ユーザによって閲覧するためにディスプレイにおいて実質的に固定位置を内部に占めるコンテンツウィンドウを含むインタフェースの表示を容易にし、
前記コンテンツウィンドウ内でのコンテンツユニットのシーケンスの表示を容易にし、前記コンテンツユニットの第１ユニットが広告を含み、前記インタフェースが更に、前記ユーザがそれを用いて前記シーケンス内を前後に移動することができる少なくとも１つのコントロールを含む、
ように構成されたコンピューティングデバイス。
【請求項１６】
広告コンテンツに対するユーザ関与を促すためのコンピュータに実装される方法であって、
ユーザによって閲覧するためにディスプレイにおいて実質的に固定位置を内部に占めるコンテンツウィンドウを含むインタフェースの表示を容易にする段階と、
前記コンテンツウィンドウ内でのコンテンツユニットのシーケンスの表示を容易にする段階と、
を含み、
前記コンテンツユニットの第１ユニットが広告を含み、
前記方法が更に、
ドラッグ・アンド・ドロップ操作を用いて前記コンテンツの第１ユニットのうちの選択されたユニットの共有を容易にする段階を含む方法。
【請求項１７】
前記インタフェースは、連絡先リスト及びメッセージウィンドウを含むメッセージングインタフェースを備え、前記ドラッグ・アンド・ドロップ操作は、前記連絡先リストを介した連絡先又は前記メッセージウィンドウを介したメッセージ受信者の１つと前記選択されたコンテンツユニットの共有を行う、
ことを特徴とする請求項１６に記載の方法。
【請求項１８】
前記インタフェースは、前記ユーザがそれを用いて前記シーケンス内を前後に移動することができる少なくとも１つのコントロールを更に含む、
ことを特徴とする請求項１６に記載の方法。
【請求項１９】
前記シーケンスとのユーザ対話を追跡して前記ユーザ関与を評価する段階を更に含む、
ことを特徴とする請求項１６に記載の方法。
【請求項２０】
前記コンテンツユニットの第２ユニットは、前記ユーザへの所定の関連性によって特徴付けられる非商用メディアを含み、前記非商用メディアは、コンテンツのポスティング、イベント通知、又は招待のうちの１つ又はそれ以上を含む、
ことを特徴とする請求項１６に記載の方法。
【請求項２１】
広告コンテンツに対するユーザ関与を促すように構成され、ディスプレイ及び少なくとも１つのプロセッサを備えたコンピューティングデバイスであって、
ユーザによって閲覧するためにディスプレイにおいて実質的に固定位置を内部に占めるコンテンツウィンドウを含むインタフェースの表示を容易にし、
その第１ユニットが広告を含むコンテンツユニットのシーケンスの前記コンテンツウィンドウ内での表示を容易にし、
ドラッグ・アンド・ドロップ操作を用いて前記コンテンツの第１ユニットのうちの選択されたユニットの共有を容易にする、
ように構成されたコンピューティングデバイス。
【発明の詳細な説明】
【技術分野】
【０００１】
本発明は、オンライン広告に関し、詳細には、ユーザがオンライン広告に気付いてこれと対話する可能性を向上させるための技術に関する。
【背景技術】
【０００２】
ウェブ上の広告サービスのプロバイダは、ユーザが広告コンテンツを無視する傾向が増大していることに関係して重大な課題に直面している。収益をもたらすのに十分に人目を引くが、ユーザ体験にマイナスの影響を与えるほど押し付けがましくない広告を提示することのバランスを取らなければならない。ユーザがウェブページに付随する無関係の情報に次第に慣れてきたのに伴って、このバランスを達成することがますます困難になっており、この問題は、業界では「広告ブラインドネス（ａｄ  ｂｌｉｎｄｎｅｓｓ）」と呼ばれることが多い。
【０００３】
この問題は、ウェブサイトがウェブ１．０モデルのページ・ビュー（新しいページが示されるたびに新しい広告が示される）から、インタフェースがクライアントアプリケーションのように動作し、時間の経過と共にインタフェースの一部分のみが変化するウェブ２．０モデルに移行するのに伴ってより大きな論点になっている。この移行により、前モデルと同じページ・ビュー数を生み出すためには、インタフェースレイアウト内の静的ロケーションにおいて広告コンテンツをローテーションする必要が生じた。残念ながら、レイアウト内の静的ロケーションは、ユーザにとって広告コンテンツをより無視し易いものとする。
【発明の概要】
【０００４】
本発明によれば、広告コンテンツに対するユーザ関与(user engagement)を促すための様々な方法及び装置が提供される。ユーザによって閲覧するためにディスプレイ内にインタフェースが表示される。インタフェースは、実質的に固定位置を該インタフェース内部に占めるコンテンツウィンドウを含む。コンテンツウィンドウ内には、コンテンツユニットのシーケンスが表示される。コンテンツユニットの第１ユニットは広告である。
【０００５】
実施形態の１つの態様によれば、コンテンツユニットの第２ユニットは、ユーザへの所定の関連性によって特徴付けられる非商用メディアである。
【０００６】
実施形態の第２の態様によれば、インタフェースは、ユーザがそれを用いてシーケンス内を前後に移動することができる少なくとも１つのコントロールを更に含む。
【０００７】
実施形態の第３の態様によれば、第１コンテンツユニットのうちの選択されたユニットの共有は、ドラッグ・アンド・ドロップ操作を用いて容易にされる。
【０００８】
本発明の特性及び利点の更なる理解は、本明細書の残りの部分及び図面を参照することによって達成することができる。
【図面の簡単な説明】
【０００９】
【図１】本発明の特定の実施形態の操作を示すスクリーンショットである。
【図２】本発明の特定の実施形態の操作を示すスクリーンショットである。
【図３】本発明の特定の実施形態の操作を示すスクリーンショットである。
【図４】本発明の特定の実施形態の操作を示すスクリーンショットである。
【図５】本発明の特定の実施形態の操作を示すスクリーンショットである。
【図６】本発明の特定の実施形態の操作を示すスクリーンショットである。
【図７】本発明の特定の実施形態の操作を示すスクリーンショットである。
【図８】本発明の特定の実施形態の操作を示すスクリーンショットである。
【図９】本発明の特定の実施形態の操作を示すスクリーンショットである。
【図１０】本発明の特定の実施形態の操作を示すスクリーンショットである。
【図１１】本発明の特定の実施形態の操作を示すスクリーンショットである。
【図１２】本発明の特定の実施形態の操作を示すスクリーンショットである。
【図１３】本発明の特定の実施形態の操作を示すスクリーンショットである。
【図１４】本発明の特定の実施形態の操作を示すフロー図である。
【図１５】本発明の実施形態を実施することができるブロック図である。
【発明を実施するための形態】
【００１０】
ここで、本発明を実施するために発明者によって意図される最良の形態を含む、本発明の具体的な実施形態を詳細に説明する。これらの具体的な実施形態の実施例を添付図面に示す。本発明は、これらの具体的な実施形態に関連して説明するが、説明する実施形態に本発明を限定するものではない点は理解されるであろう。むしろ、本発明は、添付の請求項によって定義されるような本発明の技術的思想及び範囲内に含まれる代替形態、修正形態、及び均等物を保護するものとする。以下の説明では、本発明を十分に理解するために具体的な詳細について記載される。本発明は、これらの具体的な詳細の一部又は全てが無くても実施することができる。加えて、本発明を不必要に不明瞭にするのを避けるため、公知の機能については詳細には説明しない場合がある。
【００１１】
本発明の様々な実施形態によれば、広告及び広告コンテンツに対するユーザ関与は、様々な技術を用いて改善される。例えば、実施形態の１つの態様によれば、広告コンテンツに対するユーザ関与は、提示される広告コンテンツに対する何らかのコントロール手段をユーザに与えることによって改善される。実施形態の別の態様によれば、ユーザに関連するソーシャルメディアは、提示される広告コンテンツと融合される。関連するソーシャルメディアの実施例は、個人によって作成され、他者によって見られ又は他者と共有される、メディア及びコンテンツ、例えば、写真、ビデオ、ブログエントリ、その他を含む。実施形態の更に別の態様によれば、ユーザは、例えば、簡単なドラッグ・アンド・ドロップ操作によって他のユーザと広告コンテンツを容易に共有することができる。これらの技術を単独で又は互いに組み合わせて使用することにより、提示される広告コンテンツに対するユーザ関与を改善することができる。
【００１２】
実施形態の第１の態様のサブセットによれば、ユーザが広告シーケンス（可能であれば、以下で説明するような他のコンテンツを含む）を前後に移動することができるようにするコントロールが提供される。このような実施形態の具体的な実施例は、図１−３のスクリーンショットを参照して理解することができる。広告は、メディアプレーヤに類似するインタフェース内の固定ウィンドウのようなもの（ウィンドウ１０２）においてローテーション・シーケンスで示される。一部の実施形態によれば、インタフェース及びウィンドウ１０２は、Ａｓｙｎｃｈｒｏｎｏｕｓ  Ｊａｖａ（Ｒ）Ｓｃｒｉｐｔ  ａｎｄ  ＸＭＬ（ＡＪＡＸ、エイジャックス）技術又は同等の技術を用いて実装され、この場合、ユーザが変更を要求するたびにウェブページ全体をリロードする必要がないように、極めて少量のデータのみがサーバと交換される。他の技術は、例えば、標準ＴＣＰソケットを使用するＦｌａｓｈ又はＡｃｔｉｖｅ  Ｘコントロールの使用を含むことができる。これらは単に実施例にすぎず、ウィンドウは、必ずしもインタフェース内に固定である必要はない点に留意すべきである。
【００１３】
この実施例において、ウィンドウ１０２には、２つのコントロールボタンが関連付けられ、すなわち、ユーザが以前に示された広告を再び訪れる（すなわち、シーケンスを後方に戻る）ことができるようにする第１のコントロールボタン（コントロール１０４）と、ユーザがローテーションで前方に移動できるようにする第２のコントロールボタン（コントロール１０６）である。ウェブアプリケーションの具体的な実施において、ページ全体をリロードすることなくこれを達成することができる。従って、例えば、図３のインタフェース内でコントロール１０４を選択すると、ユーザは図２及び１の広告に連続して後戻りすることができる。
【００１４】
一実施形態によれば、ユーザには、ローテーション内の後方移動が最初に開始されたローテーションの地点、すなわち前述の実施例では図３の広告への前方移動だけが許容される。このようにすると、ユーザは、ローテーションの広告を容易にスキップすることはできない。或いは又はこれに加えて、ユーザがシーケンス内で前方にジャンプすることができる速度を制限することができる。
【００１５】
更に別の代替形態として、ユーザには、シーケンス内で無制限に前方にジャンプするよう許容することができる。しかしながら、スキップされた広告を広告インプレッションとしてカウントするのを防ぐため、ローテーションの後方移動が最初に開始された地点にローテーションで到達すると、ソーシャルメディアのみが示される。これにより、ユーザは、前方にジャンプするという要望が阻止されない点で満足できる体験を有することができ、ユーザのコミュニティに関連する更新が示される。これはまた、無視されるはずの広告インプレッションに対する正当とは認められない課金を防ぐことにもなる。ユーザがシーケンスで前方にジャンプするのを止めると、広告の標準ローテーションが再開する。
【００１６】
これらのコントロールは、ユーザが体験をある程度まで制御できるようにするためにユーザに提供できるコントロールの実施例に過ぎない点、及び本発明の範囲から逸脱することなく他の種類のコントロールを提供することができる点は理解されるであろう。例えば、一時的にローテーションを前方に移動できないようにするために、一時停止コントロールを提供することができる。別の実施例において、ユーザがその区域内に関わるとき、例えばマウスがその近傍内にあるときに、ローテーションが自動的に一時停止する。このようにして、ユーザが広告上をクリックするか、又は前後に移動しようと試みると、広告はローテーションしない。他の好適な種類のコントロールは、当業者であれば明らかであろう。
【００１７】  具体的な実施形態によれば、このようなコントロールの使用に関連するユーザ行動を追跡して、広告コンテンツに関する貴重なフィードバックを提供することができる。例えば、多くのユーザが一貫してそれぞれの広告ローテーションを後方に移動して、（以下で説明するように）特定の広告を閲覧、対話、又は共有する場合、当該広告は、幾つかの点で効果的であると推測することができる。また、ユーザについての人口統計及びオンライン活動情報が利用可能であるエコシステム（例えば、（公序良俗違反につき、不掲載）  Ｍｅｓｓｅｎｇｅｒを含む様々な（公序良俗違反につき、不掲載）プロパティのうちの何れか）において、このような情報を活用して、特定の広告コンテンツのための詳細で高度なデータを引き出すことができる。
【００１８】
本発明によって有効にされる当該手法は、例えば、ユーザに広告の評価を依頼する技術とは対照的である。すなわち、このような依頼に応じる時間を割くのは、希な（及び代表的でない可能性が高い）ユーザである。対照的に、広告コンテンツの体験に対して幾らかのコントロールレベルをユーザに与えることによって、フィードバックを得るためのユーザの体験を実際に中断することなく、特定の広告の効果についての暗示的で極めて具体的なフィードバックを引き出すことができる。
【００１９】  上述の実施形態の第２の態様のサブセットによれば、例えば、図１−３のウィンドウ１０２のようなインタフェース内のウィンドウを通じてローテーションする広告シーケンスにおいて、ユーザに関連するソーシャルメディアが挿入される。これらの実施形態の一部によれば、ソーシャルメディアは、広告及びソーシャルメディアが示されるユーザに何らかの点で関連するユーザグループを参照して識別される。例えば、ユーザグループは、メッセージングアプリケーション、例えば（公序良俗違反につき、不掲載）  Ｍｅｓｓｅｎｇｅｒ内のユーザのバディリストに相当することができる。或いは、ユーザグループは、何らかの他の形式の連絡先リスト、例えばアドレス帳から、或いはユーザ自身による明示的な指名により導出することができる。より一般的には、本発明の範囲から逸脱することなく、広告コンテンツを閲覧するユーザに何らかの関連性があるあらゆるユーザグループを利用することができる。
【００２０】
広告シーケンスに挿入又は参照されるソーシャルメディアの性質はまた、本発明から逸脱することなく多種多様とすることができる。例えば、ユーザグループ内の誰かがコンテンツを公開する場合、広告シーケンスに示されるソーシャルメディアは、その公開の通知であると共に、公開されるコンテンツへのリンクとして機能することができる。このような関連ソーシャルメディアの実施例が図４に示され、ここでは、ウィンドウ１０２内にユーザの連絡先の１人からの告知及び招待の表示を例示している。コンテンツは、この連絡先によって最近公開された新しいブログエントリに関連し、このユーザのブログへのリンクを含むことができる。次に、図５は、広告シーケンスのローテーションが、ウィンドウ１０２内に図４のソーシャルメディアコンテンツに替わって新しい広告で継続することを示している。
【００２１】  広告コンテンツと融合されるソーシャルメディアの性質は、本発明から逸脱することなく多種多様とすることができる点は理解されるであろう。ユーザが関連するユーザグループ又はコミュニティの１人又はそれ以上のメンバに関わる事実上あらゆる種類のコンテンツ又は更新を利用することができる。幾つかの実施形態によれば、グループ又はコミュニティが関連付けられたエコシステムの種々の部分間の相互関係を利用して、関与の高いソーシャルメディアを可能にすることができる。例えば、（公序良俗違反につき、不掲載）エコシステム全体は、本発明によるこのようなソーシャルメディアの識別及び配信を可能にするように相関付けることができる様々なプロパティを含む。一実施例において、（公序良俗違反につき、不掲載）Ｍｅｓｓｅｎｇｅｒユーザには、ユーザの連絡先の１人による別の（公序良俗違反につき、不掲載）プロパティ、例えば、図６に示すような（公序良俗違反につき、不掲載）Ｐｈｏｔｏｓにおける活動を示すソーシャルメディアを示すことができる。当該連絡先に関連する他の（公序良俗違反につき、不掲載）プロパティ上のコンテンツへのリンクも含めることができる（例えば、ブログ又はホームページへのリンクなど）。
【００２２】
理解されるように、種々の実施形態により示される広告のフォーマットは、本発明から逸脱することなく多種多様とすることができる。上記で示した特定の実施形態によれば、例えば図１−６のインタフェースにおいて、広告ローテーション及びソーシャルメディアが示されるウィンドウ（例えばウィンドウ１０２）は、ＩＡＢ標準サイズの矩形（例えば１８０ｘ１５０）であり、リッチメディア（例えばビデオ）には適しているが、広告主が好むほどは大きくない場合がある。従って、図７及び８に示す具体的な実施例によれば、ユーザがウィンドウを「マウスオーバーする」と、より小さい標準サイズ（図７）から、標準サイズの大型矩形（例えば３００ｘ２５０）又はカスタムサイズが可能なより大きいサイズ（図８）に拡大される。これにより、インタフェース・リアスエステート(interface real estate)が貴重であるＷｅｂ２．０フレームワーク内でのアプリケーション開発を可能にしながら、このような考慮事項とユーザがウィンドウと対話するときの豊富な体験とのバランスを取ることができる。
【００２３】
加えて、マウスオーバー中にシーケンスローテーションを一時停止させ、コンテンツを経験する十分な時間をユーザに与えることができる。すなわち、シーケンスローテーションが一時停止されない場合には、ユーザは、次のコンテンツが示されるまでに広告又はソーシャルメディア上をクリックする十分な時間を有することができない。これは、特に、ユーザが最初にそこでカーソルを動かすことによってコンテンツへの関心を既に表していたことを考慮すると、明らかに望ましいことではない。コンテンツが何らかの形式のビデオである実施形態によれば、ユーザがビデオの再生を制御できるように、「再生」及び「一時停止」コントロールも示すことができる。１つの実施において、ユーザが「再生コントロール」を選択したときには、再生ウィンドウのサイズは、カーソルがウィンドウ上に留まっているか否かによって決まる。すなわち、ユーザがウィンドウの外にカーソルを動かすと、ウィンドウは元のサイズに戻り、完了又は一時停止されるまでビデオの再生を続けることができる。その後、シーケンスのローテーションを再び開始することができる。
【００２４】
幾つかの実施形態によれば、ユーザは、広告及びソーシャルメディアのうちの少なくとも一部を他の何らかのメディアと同様に共有することが許容される。例えば、図８に示すように、ユーザがウィンドウ１０２をマウスオーバーしてサイズを拡大させると、ユーザの「行動喚起（ｃａｌｌ  ｔｏ  ａｃｔｉｏｎ）」もまたウィンドウ枠内に示され、現在示されているコンテンツを共有できることをユーザに通知する。この実施例において識別される共有機構は、「ドラッグ・アンド・ドロップ」操作であるが、あらゆる適切な共有機構を利用することができる。コンテンツを共有するためのより多くの時間をユーザに与えるので、このような実施ではローテーション・シーケンスの一時停止も有用である。
【００２５】
図９に示す例示的な実施形態によれば、ユーザは、例えば、インスタントメッセージングウィンドウ９０２のようなインタフェースの他の区域内にコンテンツの表示をドラッグ・アンド・ドロップすることができ、これに応じて、図１０に示すように、ユーザからの共有コンテンツ（及び／又は共有コンテンツへのリンク）を含む新規のメッセージ９０４が作成されて、現在の通信セッションに関わる１人又はそれ以上の他のユーザに送られる。次に、ローテーション・シーケンスは図１１に示すように継続する。
【００２６】
共有コンテンツに基づいて新しい会話を作成するには、ユーザは単に、図１２に示すように連絡先リスト９０６内の連絡先上にコンテンツの表示をドラッグ・アンド・ドロップするだけでよい。次いで、ローテーション・シーケンスは図１３に示すように継続する。共有コンテンツの各受信者は、次に、例えばドラッグ・アンド・ドロップ操作を含む様々な共有機構の何れかを用いて、例えば自身の連絡先リストによって定義されるような自分自身のコミュニティのメンバとコンテンツを共有することができる。従って、共有コンテンツの通信は、本質的にウィルスに似たものとなることがある。
【００２７】
メッセージングウィンドウ９０２及び連絡先リスト９０６は、本発明の実施形態に従って示されたコンテンツを共有するためのドラッグ・アンド・ドロップの宛先の単なる実施例に過ぎない点に留意すべきである。様々な種類の他の宛先タイプを種々の実施で利用して、例えば、電子メール、ファイルシステム内のフォルダ、文書、ウェブページ、その他を含む広告及びソーシャルメディアコンテンツの共有を行うことができる。
【００２８】
種々の実施形態によれば、この実施例の操作が図１４に示され、バックエンドのメディア・プレイリスト・クリエータをフロントエンドのメディアプレーヤと組み合わせて、広告及びソーシャルメディアのシーケンスの表示を制御する。メディア・プレイリスト・クリエータは、ユーザ又はユーザの活動及び／又はユーザに関連するユーザグループ又はコミュニティを参照して、広告コンテンツ及びソーシャルメディアコンテンツの両方を識別する。例えば、メディア・プレイリスト・クリエータは、ユーザの人口統計、サーチキーワード、コンテキスト、その他の様々な評価指標の何れかに基づいて広告を選択することができる（１４０２）。
【００２９】
メディア・プレイリスト・クリエータはまた、例えば、ユーザのオンライン活動及び／又は、ユーザに関連する又はユーザによって識別されるユーザグループ又はコミュニティを含む、様々な評価指標の何れかを参照してユーザ関連のコンテンツ（例えば、ソーシャルメディア）を選択することができる（１４０４）。メディア・プレイリスト・クリエータは、次に、具体的な実施によれば、広告及びユーザ関連のコンテンツに対応するメディア識別子のリストであるプレイリストを作成する（１４０６）。次いで、メディア・プレイリスト・クリエータは、プレイリストをフロントエンドプレーヤに提供し（１４０８）、次にこのプレーヤがプレイリストを用いて、フロントエンドプレーヤに組み込まれたロジックに従ってコンテンツの表示を制御する（１４１０）。このロジックは、図１−１３に関連して上記で説明した機能の種々の組み合わせを実施することができる。
【００３０】
一実施形態によれば、メディア・プレイリスト・クリエータは、フロントエンドに対してプレイリストを繰り返し提供し、すなわち一度に幾つかのコンテンツアイテムを提供する（１４１２）。ユーザが前方にジャンプすることが許容される場合、ユーザが現在のプレイリストを超えようとするたびに（１４１４）、付加的なユーザ関連のコンテンツの要求が行われる（１４１６）。
【００３１】
一部の実施において、コンテンツが、図１−１３に示したメッセージングエコシステムのコンテキスト内で共有されると、メッセージングアプリケーション内でそのコンテンツに容易にアクセスすることができるよう、共有コンテンツに関連するメディア識別子が受信者に提供される。これにより、例えば、受信したメッセージ内でコンテンツを直接閲覧又は再生することができるようになる。種々の実施形態によれば、広告及び／又はソーシャルメディアは、例えば、画像、ビデオ、オーディオ、アニメーション、混成、その他を含む様々な種類の単純な及び複雑なメディアタイプとすることができる。
【００３２】  これらの実施形態の一部によれば、クリック詐欺から保護するために、ユーザは、メディア・プレイリスト・クリエータによってユーザに示される広告のみを共有することができ、すなわち、ユーザは、単独で特定の広告を呼び出すことは許容されない。他の実施形態によれば、例えば、ＩＰアドレスのモニタ及びレート制限など、様々な不正検出及び防止技術を利用することができる。また、特定のオンラインエコシステム、例えば（公序良俗違反につき、不掲載）Ｍｅｓｓｅｎｇｅｒユーザコミュニティにおいて、ユーザ識別子の可用性を利用して不正を防止することもできる。
【００３３】
広告を共有することの利点の１つは、ユーザが関心のある広告を友人と共有し、その友人がまた、他者とその広告を共有することができるような、広告コンテンツのウィルスのような流通である。加えて、共有は広告コンテンツへの強力な関心と相関性があるので（少なくとも共有者側において）、広告コンテンツの共有相手による「クリックスルー」の可能性が高くなる。
【００３４】  本発明の具体的な実施形態によれば、識別されてユーザに示されるソーシャルメディアは、ユーザ及びユーザの関連するグループ又はコミュニティがその一部を成す特定のエコシステムによって制限される必要はない。例えば、ソーシャルメディアの関連グループは、（公序良俗違反につき、不掲載）Ｍｅｓｓｅｎｇｅｒ内の特定のユーザの連絡先リストによって定義することができる。種々の（公序良俗違反につき、不掲載）プロパティ内の当該グループ内のユーザに関連するソーシャルメディアは、広告シーケンスのローテーションに容易に組み込むことができるが、本発明は、このようなメディアのみに限定されない。すなわち、このような実施形態によれば、ソーシャルメディアは、本発明の範囲から逸脱することなく、様々な種類のオンラインソースから得ることができる。例えば、個人及び企業のウェブサイト、ソーシャルネットワーキングサイト、コンテンツ共有サイト、その他を含む、特定の個人のためのソーシャルメディアの実質的にあらゆるソースを利用することができる。ソーシャルメディアは、例えば、個人の所与の名前によって識別することができる。或いは、エコシステム内の個人の識別子、例えば電子メールアドレスを利用することができる。すなわち、個人の名前又は電子メールアドレスは分かっているので、オンラインのどこかで公開されたコンテンツは、本発明の実施形態に従って識別され表示することができる。
【００３５】
本発明は、あらゆるコンピューティングプラットフォーム上、及びあらゆるネットワークトポロジにおいて実施することができ、この場合、広告コンテンツの表示及びそのコンテンツとのユーザ関与の促進は、有効な機能である。例えば図１５に示すように、広告及びソーシャルメディアのシーケンス並びに本明細書で説明した関連の機能が、パーソナルコンピュータ１５０２、メディアコンピューティングプラットフォーム１５０３（例えば、ゲーム用プラットフォーム、又はナビゲーション及び記録機能を備えたケーブル及び衛星セットトップボックス）、ハンドヘルドコンピューティングデバイス（例えば、ＰＤＡ）１５０４、携帯電話１５０６、或いは他のあらゆるタイプの携帯用通信プラットフォーム上のインタフェース内に表示される実施が意図される。広告及びソーシャルメディアの表示に関連する種々の機能を制御するロジック（例えば、コンピュータコード又は命令において具現化されるような）は、このようなデバイス上に、例えばブラウザ又は他のアプリケーションの一部として常駐することができ、或いは、遠隔サイト、例えばウェブページから提供することができる。広告及びソーシャルメディアの選択は、エンドユーザデバイスから遠隔の（サーバ１５０８及びデータストア１５１０で表された）１つ又はそれ以上のプラットフォーム上で達成することができる。本発明はまた、（ネットワーク１５１２によって表される）様々な種類のネットワーク環境、例えば、ＴＣＰ／ＩＰベースのネットワーク、電気通信ネットワーク、無線ネットワーク、ケーブルネットワーク、その他において実施することができる。
【００３６】
加えて、本発明の実施形態を実施するためのコンピュータプログラム命令は、あらゆる種類のコンピュータ読み出し可能媒体内に格納することができ、スタンドアロンのコンピューティングデバイス上でクライアント／サーバモデル、ピア・ツー・ピアモデルを含む様々なコンピューティングモデルに従って、或いは本明細書で説明した様々な機能を異なる場所で実装又は利用することができる分散型コンピューティングモデルに従って実行することができる。種々の具体的な実施形態によれば、本発明の態様は、例えば、ダウンロードされたアプリケーション（例えば、インスタント・メッセンジャー・アプリケーション）、ウェブベースのアプリケーション（例えば、ウェブ電子メール）、又はウェブベースのソーシャルネットワーキングサイトで具現化することができる。しかしながら、これらは、本発明の実施形態を実施することができる多くの方法のうちの幾つかの実施例に過ぎない点に留意すべきである。
【００３７】
本発明をその具体的な実施形態を参照しながら詳細に図示し説明してきたが、当業者であれば、開示された実施形態の形態及び詳細事項において、本発明の精神又は範囲から逸脱することなく変更を加えることができる点は理解されるであろう。例えば、上述の実施形態では、広告が表示されるインタフェースの区域、及び従って広告自体に対するユーザ関与を改善するために、広告シーケンス内に導入できるコンテンツの実施例としてソーシャルメディアを説明した。しかしながら、このようなソーシャルメディアは、この目的のためには極めて効果的であるが、本発明はこの実施例に限定されない。むしろ、広告に対するユーザ関与は、このような関与を促進する可能性の高い様々な種類のコンテンツの何れかを用いて、本発明に従って改善することができる。例えば、ユーザは、特定のウェブサイトからのＲＳＳフィード（例えば、ブログ、バーチャルスポーツリーグ、ニュースサイト、その他）を登録することができる。この登録からユーザの関心を推測することができるので、このウェブサイトに関連するコンテンツ、例えば新しいコンテンツのポスティングの通知などを広告ローテーション内に表示することは、上述の様々な種類のソーシャルメディアに類似した方法でユーザ関与を改善する働きをすることができる。より一般的には、本発明の具体的な実施形態により、ユーザが登録するか又はユーザが関心を示すあらゆるものを広告シーケンス内に挿入可能なコンテンツソースとして使用して、ユーザ関与を高めることができる。
【００３８】
加えて、本発明の種々の利点、態様、及び目的を本明細書において種々の実施形態を参照しながら説明してきたが、本発明の範囲は、このような利点、態様、及び目的を参照することにより限定すべきでない点は理解されるであろう。むしろ、本発明の利点は、添付の請求項を参照することにより判断すべきである。
【符号の説明】
【００３９】
１４０２  広告を選択
１４０２  ユーザ関連のコンテンツを選択
１４０６  プレイリストを作成
１４０８  プレイリストをフロントエンドのプレーヤに提供
１４１０  コンテンツを表示
１４１２  次のプレイリストを取得
１４１４  現在のプレイリストをスキップするか？
１４１６  付加的なユーザ関連のコンテンツを要求
【図１】
2010538340.tif 000003
【図２】
2010538340.tif 000004
【図３】
2010538340.tif 000005
【図４】
2010538340.tif 000006
【図５】
2010538340.tif 000007
【図６】
2010538340.tif 000008
【図７】
2010538340.tif 000009
【図８】
2010538340.tif 000010
【図９】
2010538340.tif 000011
【図１０】
2010538340.tif 000012
【図１１】
2010538340.tif 000013
【図１２】
2010538340.tif 000014
【図１３】
2010538340.tif 000015
【図１４】
2010538340.tif 000016
【図１５】
2010538340.tif 000017
【国際調査報告】
2010538340.tif 000018
2010538340.tif 000019